(57)【要約】【課題】  シャンク剛性を低下させることなく、シューズの中足部のフィット性を向上できるソール構造体を提供する。【解決手段】  シューズのソール構造体１において、ソール構造体の上側に配置され、ソール構造体の中足部に延在する上部プレート部材２と、ソール構造体の下側において、上部プレート部材２との間に空隙を介して配置されるとともに、ソール構造体の中足部に延在する下部プレート部材３とを設ける。上部プレート部材２の中足部における幅Ｗｕを下部プレート部材３の中足部における幅Ｗｄの０．２４〜０．５４倍にする。【選択図】  図１
2007267948.tif 000002
【特許請求の範囲】
【請求項１】
シューズのソール構造体であって、
前記ソール構造体の上側に配置され、前記ソール構造体の少なくとも中足部に延在する上部プレート部材と、
前記ソール構造体の下側において、前記上部プレート部材との間に空隙を介して配置されるとともに、前記ソール構造体の少なくとも中足部に延在する下部プレート部材とを備え、
前記上部プレート部材の前記中足部における幅が、前記下部プレート部材の前記中足部における幅よりも小さくなっている、
ことを特徴とするシューズのソール構造体。
【請求項２】
請求項１において、
前記上部プレート部材の前記中足部における幅が、前記下部プレート部材の前記中足部における幅を１とするとき、０．２２〜０．６３である、
ことを特徴とするシューズのソール構造体。
【請求項３】
請求項１において、
前記上部プレート部材の前記中足部における幅が、前記下部プレート部材の前記中足部における幅を１とするとき、０．２４〜０．５４である、
ことを特徴とするシューズのソール構造体。
【請求項４】
請求項１において、
前記上部プレート部材の前記中足部における中心線が、前記ソール構造体の前記中足部において内甲側対外甲側の比率で７：３の位置に配置されている、
ことを特徴とするシューズのソール構造体。
【請求項５】
請求項１において、
前記上部プレート部材が、前記ソール構造体の前記中足部の内甲側において、内方に湾曲しつつくびれている、
ことを特徴とするシューズのソール構造体。
【請求項６】
請求項１において、
前記上部プレート部材が、前記ソール構造体の前記中足部の外甲側において、内方に湾曲しつつくびれている、
ことを特徴とするシューズのソール構造体。
【請求項７】
請求項１において、
前記上部プレート部材が、前記ソール構造体の前記中足部の内甲側および外甲側において、内方に湾曲しつつくびれている、
ことを特徴とするシューズのソール構造体。
【請求項８】
請求項１において、
前記上部プレート部材および下部プレート部材が、前記ソール構造体の踵部から前記中足部をへて前足部まで延びている、
ことを特徴とするシューズのソール構造体。
【請求項９】
請求項１において、
前記上部プレート部材が、その上側に配設されたミッドソール部材を介してシューズの甲被部の下部に固着されている、
ことを特徴とするシューズのソール構造体。
【請求項１０】
請求項１において、
前記上部プレート部材が、シューズの甲被部の下部に直接固着されている、
ことを特徴とするシューズのソール構造体。
【請求項１１】
請求項１において、
前記中足部において前記上部プレート部材の下面には、前記下部プレート部材に向かって下方に突出しかつ前後方向に延びるリブが設けられている、
ことを特徴とするシューズのソール構造体。
【発明の詳細な説明】
【技術分野】
【０００１】
本発明は、シューズのソール構造に関し、詳細には、シャンク剛性を低下させることなく、シューズの中足部（土踏まず部）のフィット性を向上させるためのソール構造の改良に関する。
【背景技術】
【０００２】
シューズにおいて、中足部のフィット性を向上させたいとする要請がある。そのための方策として、シューズの中足部の幅寸法を小さくすることにより、シューズの中足部の形状を足のアーチ部の形状に沿わせるようにすることが考えられる。しかしながら、この場合には、シューズの中足部の捩り剛性および曲げ剛性が低下してシャンク剛性が低下することになるため、シューズとしての安定性を損なうおそれがある。
【０００３】
本発明は、このような観点からなされたものであり、シャンク剛性を低下させることなく、シューズの中足部のフィット性を向上させることを主眼としている。そして、本発明においては、ソールが２層のプレート部材から構成されたソール構造体に着目した。
【０００４】
ところで、２層のプレート部材からなる従来のソール構造体は、たとえば、特開２００３−９９０６号公報や特開２００３−３３９４０５号公報に記載されている。特開２００３−９９０６号公報に示すものでは、踵部から中足部にかけてソールプレートが２層構造になっており、特開２００３−３３９４０５号公報に示すものでは、中足部においてソールプレートが２層構造になっている。
【０００５】
しかしながら、これらいずれのソール構造体においても、シューズの中足部を２層構造とすることで中足部のシャンク剛性を高めることのみを意図して構成されており、このように上下２層のプレート部材が同一幅を有している場合には、上プレート部材に甲被を固着したときにシューズの中足部において甲被と足の間に隙間ができるため、中足部のフィット性向上の観点からは、十分なものとはいえない。
【特許文献１】特開２００３−９９０６号公報（図３参照）
【特許文献２】特開２００３−３３９４０５号公報（図２参照）
【発明の開示】
【発明が解決しようとする課題】
【０００６】
本発明は、このような従来の実情に鑑みてなされてものであり、本発明が解決しようとする課題は、シャンク剛性を低下させることなく、シューズの中足部のフィット性を向上させることにある。
【課題を解決するための手段】
【０００７】
請求項１の発明に係るシューズのソール構造体は、当該ソール構造体の上側に配置され、当該ソール構造体の少なくとも中足部に延在する上部プレート部材と、当該ソール構造体の下側において、上部プレート部材との間に空隙を介して配置されるとともに、当該ソール構造体の少なくとも中足部に延在する下部プレート部材とを備えている。上部プレート部材の中足部における幅は、下部プレート部材の中足部における幅よりも小さくなっている。
【０００８】
請求項１の発明によれば、中足部において上方（つまり、着用者の足により接近した位置）に配置された上部プレート部材の方が下部プレート部材よりも幅が狭くなっているので、シューズの中足部を着用者の足のアーチ部の形状に容易に沿わせることができるようになってフィット性を向上できるとともに、中足部において上部プレート部材の下方に配置されかつ上部プレート部材よりも幅の広い下部プレート部材によって、中足部の捩り剛性を確保できるので、中足部のシャンク剛性を向上できる。
【０００９】
中足部において、下部プレート部材に対する上部プレート部材の幅の比は、好ましくは、請求項２の発明に記載されているように、０．２２〜０．６３であり、より好ましくは、請求項３の発明に記載されているように、０．２４〜０．５４である。
【００１０】
一般に、足の土踏まず部の最も幅狭の個所の前後方向位置は、人によって異なるが、この位置を足の全長（足長）に対する踵後端からの距離の比で表すことにして、多数の人からデータを収集すると、図６に示す表中の「踵後端からの土踏まず長さ／足長」の欄に示すようになる。
【００１１】
同表中、「High-1〜6」は、アーチ部の高さの高い、いわゆるハイアーチの人６名のデータを示し、同様に「Low-1〜6」は、アーチ部の高さの低い、いわゆるローアーチの人６名のデータを示している。「High-average」は、ハイアーチの人６名のデータの平均値を示し、同様に「Low-average」は、ローアーチの人６名のデータの平均値を示し、「All-average」は、ハイアーチおよびローアーチ全員のデータの平均値を示している。また、「High-S.D.」は、ハイアーチの人６名のデータの標準偏差を示し、同様に「Low-S.D.」は、ローアーチの人６名のデータの標準偏差を示し、「All-S.D.」は、ハイアーチおよびローアーチ全員のデータの標準偏差を示している。
【００１２】
これらのデータから、（踵後端からの土踏まず長さ）／（足長）の値の範囲を決定する。その手法としては、ハイアーチおよびローアーチ全員の平均値および標準偏差に基づいて、０．３９±０．０６（つまり、０．３３〜０．４５）を採用した。したがって、足の土踏まず部の最も幅狭の個所の前後方向位置は、足長をＬとするとき、踵後端から０．３３Ｌ〜０．４５Ｌの距離にあることになる。
【００１３】
また、足のアーチ部の高さも人によって異なるが、足裏が接地面と接触しているときの土踏まず部接地領域の幅寸法Ａと、足の中足部の接地面への鉛直投影ラインによって描かれる中足部領域における幅寸法Ｂとの比Ａ／Ｂについて、多数の人のデータを収集すると、図６に示す表中の「Ａ／Ｂ」の欄に示すようになる。
【００１４】
これらのデータから、Ａ／Ｂの値の範囲を決定する。その一つの手法としては、ハイアーチおよびローアーチ双方の人を含むように、ハイアーチおよびローアーチそれぞれの平均値および標準偏差から、Ａ／Ｂの下限値として、０．３０−０．０８＝０．２２を採用し、上限値として、０．４８＋０．１５＝０．６３を採用する。もう一つの手法としては、ハイアーチおよびローアーチ全員の平均値および標準偏差から、Ａ／Ｂの下限値として、０．３９−０．１５＝０．２４を採用し、上限値として、０．３９＋０．１５＝０．５４を採用する。
【００１５】
請求項２の発明では前者の手法を採用し、請求項３の発明では後者の手法を採用するとともに、上記幅寸法Ａ，Ｂをそれぞれ上部プレート部材の幅および下部プレート部材の幅に置き換えたのである。すなわち、請求項２の発明では、上部プレート部材の幅と下部プレート部材の幅との比を（０．２２〜０．６３）：１にし、請求項３の発明では、前記比を（０．２４〜０．５４）：１にしている。
【００１６】
次に、足の土踏まず部接地領域の幅方向位置も人によって異なるが、足裏が接地面と接触しているときの土踏まず部接地領域の中心線の位置を、足の接地面への鉛直投影ラインにより描かれる中足部領域の内甲側からの距離と外甲側からの距離との比で表すことにして、多数の人のデータを収集すると、図６に示す表中の「土踏まず部接地領域中心線の内甲側からの比率」の欄に示すようになる。
【００１７】
これらのデータから、「土踏まず部接地領域中心線の内甲側からの比率」の値を決定する。その手法としては、ハイアーチおよびローアーチ全員の平均値に基づいて、０．７の値を採用した。したがって、足の土踏まず部接地領域の中心線は、足の接地面への鉛直投影ラインにより描かれる中足部領域の幅を１とするとき、内甲側縁部から０．７の距離にあることになる。
【００１８】
請求項４の発明は、ソール構造体の上部プレート部材の幅方向位置を実際の足に適合させるべくなされたものであって、上部プレート部材の中足部における中心線を、ソール構造体の中足部の内甲側対外甲側の比率で７：３の位置に配置するようにしたものである。
【００１９】
請求項４の発明によれば、シューズの中足部のフィッティング性能をさらに高めることができるようになる。
【００２０】
請求項５の発明では、上部プレート部材が、ソール構造体の中足部の内甲側において内方に湾曲しつつくびれている。
【００２１】
この場合には、内アーチが大きい平均的な足に対して、シューズの中足部内甲側のフィット性を向上できるとともに、内アーチの立体形状に適合したシューズを実現できる。
【００２２】
請求項６の発明では、上部プレート部材が、ソール構造体の中足部の外甲側において、内方に湾曲しつつくびれている。
【００２３】
この場合には、とくにインドアシューズにおいて、シューズの中足部外甲側のフィット性を高めることができるので、サイドステップなどの横方向の動きを確実にサポートできるようになる。
【００２４】
請求項７の発明では、上部プレート部材が、ソール構造体の中足部の内甲側および外甲側において、内方に湾曲しつつくびれている。
【００２５】
この場合には、シューズの中足部の内甲側および外甲側双方のフィット性を向上できるので、ランニング系およびインドアスポーツ系双方に適合したシューズを実現できる。
【００２６】
請求項８の発明では、上下部プレート部材が、ソール構造体の踵部から中足部をへて前足部まで延びており、いずれもシューズ構造体の全長にわたって延設されている。
【００２７】
この場合には、ソール構造体の全長にわたって捩り剛性および曲げ剛性を向上できるので、着地してから離地するまでの走行安定性を向上できる。
【００２８】
請求項９の発明では、上部プレート部材が、その上側に配設されたミッドソール部材を介してシューズの甲被部の下部に固着されている。
【００２９】
この場合には、中足部のクッション性を確保できるので、初心者のランナーに好適のシューズを実現できる。
【００３０】
請求項１０の発明では、上部プレート部材が、シューズの甲被部の下部に直接固着されている。
【００３１】
この場合には、シューズの中足部のフィット性をさらに高めることができ、シューズ内での足のブレを小さくできるので、甲被部およびソール構造体の一体感を向上できる。したがって、この場合には、スピードを追求するエリートランナーに好適のシューズを実現できる。
【００３２】
請求項１１の発明では、中足部における上部プレート部材の下面において、下部プレート部材に向かって突出しかつ前後方向に延びるリブが設けられている。
【００３３】
この場合には、当該リブによって、上部プレート部材の前後方向の曲げ剛性を高くすることができるので、シューズ着地時などの載荷時に上部プレートの過度の沈み込みを防止でき、走行安定性を向上できる。
【発明の効果】
【００３４】
以上のように本発明によれば、中足部に上下２層の上下部プレート部材を設けるとともに、上部プレート部材の幅を下部プレート部材の幅よりも狭くするようにしたので、シャンク剛性を低下させることなく、シューズの中足部のフィット性を向上できるようになる。
【発明を実施するための最良の形態】
【００３５】
以下、本発明の実施例を添付図面に基づいて説明する。
図１は、本発明の一実施例によるシューズ用ソール構造体の平面図であり、図２は、図１のII-II線におけるシューズの断面部分図である。
【００３６】
図１および図２に示すように、ソール構造体１は、ソール構造体１の上側に配置され、ソール構造体１の少なくとも中足部に延在する上部プレート部材２と、ソール構造体１の下側において、上部プレート部材２との間に空隙を介して配置されるとともに、ソール構造体１の少なくとも中足部に延在する下部プレート部材３とを備えている。図１に示す例では、上部プレート部材２および下部プレート部材３は、ソール構造体１の踵部から中足部をへて前足部まで延びており、ソール構造体１の全長にわたって延設されている。
【００３７】
図１に示すように、ソール構造体１の中足部において、上部プレート部材２の幅は、下部プレート部材３の幅よりも小さくなっている。ここで、ソール構造体１の全長をＬとするとき、ソール構造体１の中足部の位置を、踵後端Ｈｅから０．３３Ｌ〜０．４５Ｌ（言い換えれば、０．３９Ｌ±０．０６Ｌ）と定義することにする。その根拠は、図６の表を用いてすでに説明したとおりであり、ソール構造体１の中足部の位置を、平均的な足の土踏まず部の最も幅狭の個所に対応させるためである。
【００３８】
上部プレート部材２は、中足部の内甲側において、内方に湾曲しつつくびれた形状を有している。また、上部プレート部材２は、ソール構造体１の踵後端Ｈｅから０．３９Ｌの位置において、もっとも幅が狭くなっているのが好ましい。これに対して、下部プレート部材３は、足の鉛直方向投影ラインに沿った形状を有している。
【００３９】
ここで、上部プレート部材２の中足部における中心線Ｃの位置は、ソール構造体全体の中足部における幅（ここでは下部プレート部材３の幅に等しい）をＷｄとするとき、内甲側縁部から０．７Ｗｄ（言い換えれば外甲側縁部から０．３Ｗｄ）の距離に配置されている。その根拠は、図６の表を用いてすでに説明したとおりであり、平均的な足の土踏まず部に対応させるためである。
【００４０】
中足部において、上部プレート部材２の幅をＷｕとし、下部プレート部材３の幅をＷｄとするとき、好ましくは、
Ｗｕ／Ｗｄ＝０．２２〜０．６３
になっており、より好ましくは、
Ｗｕ／Ｗｄ＝０．２４〜０．５４
になっている。
これらの根拠は、図６の表を用いてすでに説明したところであり、平均的な足の土踏まず部に対応させるためである。
【００４１】
図２に示すように、上部プレート部材２は、その上側に配設されたミッドソール部材４を介してシューズの甲被部５の下部に固着されている。なお、これとは異なり、上部プレート部材２は、シューズの甲被部の下部に直接固着されていてもよい。
【００４２】
この場合には、中足部において上方（つまり、着用者の足により接近した位置）に配置された上部プレート部材２の方が下部プレート部材３よりも幅が狭くなっているので、シューズの中足部を着用者の足のアーチ部の形状に容易に沿わせることができるようになってフィット性を向上できるとともに、中足部において上部プレート部材２の下方に配置されかつ上部プレート材２よりも幅の広い下部プレート部材３によって、中足部の捩り剛性を確保できるので、中足部のシャンク剛性を向上できる。
【００４３】
また、この場合には、中足部の内甲側において、上部プレート部材２が内方にくびれていることにより、内アーチが大きい平均的な足に対して、シューズの中足部内甲側のフィット性を向上できるとともに、内アーチの立体形状に適合したシューズを実現できる。
【００４４】
なお、前記実施例では、上部プレート部材が中足部の内甲側にのみ内方に湾曲しつつくびれている例を示したが、本発明は、図４に示すように、上部プレート部材が中足部の外甲側にのみ内方にくびれたものにも適用でき、さらに、図５に示すように、上部プレート部材２が中足部の内甲側および外甲側の双方において内方にくびれたものにも適用できる。好ましくは、内甲側のくびれ度合いが外甲側のくびれ度合いよりも大きくなっている。
【００４５】
図４に示す例では、とくにインドアシューズにおいて、シューズの中足部外甲側のフィット性を高めることができるので、サイドステップなどの横方向の動きを確実にサポートできるようになる。また、図５の例では、シューズの中足部の内甲側および外甲側双方のフィット性を向上できるので、ランニング系およびインドアスポーツ系双方に適合したシューズを実現できる。
【００４６】
図３に示すように、中足部において上部プレート部材２の下面には、下部プレート部材３に向かって下方に突出しかつ前後方向（同図紙面垂直方向）に延びるリブ６が設けられていてもよい。
【００４７】
この場合には、リブ６によって、上部プレート部材２の前後方向の曲げ剛性を高くすることができるので、シューズ着地時などの載荷時に上部プレート２の過度の沈み込みを防止でき、走行安定性を向上できる。なお、リブ６は、下部プレート部材３まで到達する長さを有していてもよい。
【図面の簡単な説明】
【００４８】
【図１】本発明の一実施例によるソール構造体の平面図である。
【図２】前記ソール構造体（図１）のII-II線におけるシューズの断面部分図である。
【図３】図２の変形例を示す図である。
【図４】本発明の他の実施例によるソール構造体の平面図である。
【図５】本発明のさらに他の実施例によるソール構造体の平面図である。
【図６】ハイアーチの人およびローアーチの人の足の各種データを示す表である。
【符号の説明】
【００４９】
１：  ソール構造体
２：  上部プレート部材
３：  下部プレート部材
４：  ミッドソール部材
６：  リブ
Ｗｕ：  上部プレート部材の幅
Ｗｄ：  下部プレート部材の幅
Ｌ：  シューズ全長（足長）
【図１】
2007267948.tif 000003
【図２】
2007267948.tif 000004
【図３】
2007267948.tif 000005
【図４】
2007267948.tif 000006
【図５】
2007267948.tif 000007
【図６】
2007267948.tif 000008